(57)【要約】【課題】記憶している転舵角を読み出せない場合であっても、ＳＢＷ制御や運転支援機能の制御を行なうことが可能な車両用操舵制御装置及び操舵制御方法を提供する。【解決手段】イグニッションスイッチがオン状態でバッテリの電圧が電圧閾値未満となると開放状態のクラッチを締結状態に切り替え、電圧が電圧閾値以上で車両の直進走行を判定した後に、非操舵状態で車両が停車していると判定すると、クラッチを開放状態に切り替え、締結状態のクラッチが開放状態に切り替わるまでの期間内では、クラッチが締結状態に切り替わる直前に推定した転舵角を車両の直進走行を判定した時に推定した転舵角まで連続的に変化させた転舵角を用いて運転支援機能を制御し、締結状態のクラッチを開放状態に切り替えると、車両の直進走行を判定した時に推定した転舵角を用いて、運転支援機能の制御と目標転舵角の算出を行なう。【選択図】図６
2014223862.tif 000002
【特許請求の範囲】
【請求項１】
ステアリングホイールと転舵輪との間のトルク伝達経路を機械的に分離する開放状態と、前記トルク伝達経路を機械的に連結する締結状態と、に切り替わるクラッチを備え、前記開放状態では、前記ステアリングホイールの操舵角に応じて前記転舵輪を転舵制御する車両用操舵制御装置であって、
前記クラッチの状態を切り替えるクラッチ状態切り替え部と、
前記操舵角と車両の速度に基づいて前記転舵輪の転舵角を推定する転舵角推定部と、
前記車両の走行状態が直進であるか否かを判定する直進走行判定部と、
前記転舵角推定部が推定した転舵角を用いて、前記車両の運転者に対する運転支援機能を制御する運転支援機能制御部と、を備え、
前記クラッチ状態切り替え部は、前記車両のイグニッションスイッチがオン状態であるとともに前記車両に搭載したバッテリの電圧が予め設定した電圧閾値未満となると、前記クラッチを前記開放状態から前記締結状態に切り替え、
前記転舵角推定部は、前記電圧閾値未満の電圧が電圧閾値以上となると、前記開放状態のクラッチが前記締結状態に切り替わる直前に推定した転舵角である締結前推定転舵角と、前記直進走行判定部が前記車両の走行状態が直進であると判定した時に推定した転舵角である直進判定後推定転舵角と、を推定し、
前記運転支援機能制御部は、前記クラッチ状態切り替え部が前記クラッチを前記開放状態から前記締結状態に切り替えると、前記締結前推定転舵角を用いて前記運転支援機能を制御し、前記クラッチ状態切り替え部が前記クラッチを前記締結状態から前記開放状態に切り替えると、前記締結状態のクラッチが前記開放状態に切り替わるまでの期間であるクラッチ状態移行期間内では、当該クラッチ状態移行期間内で前記締結前推定転舵角を前記直進判定後推定転舵角まで連続的に変化させた転舵角である連続変化転舵角を用いて前記運転支援機能を制御することを特徴とする車両用操舵制御装置。
【請求項２】
前記ステアリングホイールの状態が予め設定した非操舵状態であるか否かと、前記車両が停車しているか否かと、を判定する非操舵停車状態判定部と、
前記ステアリングホイールの操舵角と、前記転舵角推定部が推定した転舵角と、を用いて、前記運転者による前記ステアリングホイールの操舵操作に応じた目標転舵角を算出する目標転舵角算出部と、を備え、
前記クラッチ状態切り替え部は、前記電圧閾値未満の電圧が前記電圧閾値以上となるとともに前記直進走行判定部が前記車両の走行状態が直進であると判定し、さらに、前記非操舵停車状態判定部による前記非操舵状態であるとの判定及び前記車両が停車しているとの判定のうち少なくとも一方が成立していると、前記クラッチを前記締結状態から前記開放状態に切り替え、
前記目標転舵角算出部は、前記締結状態のクラッチが前記開放状態に切り替わると、前記直進判定後推定転舵角を用いて前記目標転舵角を算出することを特徴とする請求項１に記載した車両用操舵制御装置。
【請求項３】
前記車両の速度を検出する車速検出部と、
前記車両のヨーレートを検出するヨーレート検出部と、
前記ステアリングホイールの操舵角を検出する操舵角検出部と、を備え、
前記直進走行判定部は、前記車速検出部が検出した速度が予め設定した車速閾値以上であり、前記ヨーレート検出部が検出したヨーレートの絶対値が予め設定したヨーレート閾値以下であり、前記操舵角検出部が検出した操舵角に基づく操舵角速度の絶対値が予め設定した直進判定用操舵角速度閾値以下であると、前記車両の走行状態が直進であると判定することを特徴とする請求項１または請求項２に記載した車両用操舵制御装置。
【請求項４】
前記直進走行判定部は、前記車速検出部が検出した速度が前記車速閾値以上であり、前記ヨーレート検出部が検出したヨーレートの絶対値が前記ヨーレート閾値以下であり、前記操舵角速度の絶対値が前記直進判定用操舵角速度閾値以下である状態が、予め設定した直進判断時間閾値まで継続すると、前記車両の走行状態が直進であると判定することを特徴とする請求項３に記載した車両用操舵制御装置。
【請求項５】
前記車両の速度を検出する車速検出部と、
前記ステアリングホイールの操舵角を検出する操舵角検出部と、
前記運転者が前記ステアリングホイールに加える操舵トルクを検出する操舵トルク検出部と、を備え、
前記非操舵停車状態判定部は、前記車速検出部が検出した速度が０［ｋｍ／ｈ］であると、前記ステアリングホイールの状態が前記非操舵状態であると判定し、前記操舵角検出部が検出した操舵角に基づく操舵角速度の絶対値が予め設定した非操舵判定用操舵角速度閾値以下であり、且つ前記操舵トルク検出部が検出した操舵トルクの絶対値が予め設定した非操舵判定用トルク閾値以下であると、前記車両が停車していると判定することを特徴とする請求項２に記載した車両用操舵制御装置。
【請求項６】
前記非操舵停車状態判定部は、前記操舵角速度の絶対値が前記非操舵判定用操舵角速度閾値以下であり、且つ前記操舵トルク検出部が検出した操舵トルクの絶対値が前記非操舵判定用トルク閾値以下である状態が、予め設定した非操舵停止判断時間閾値まで継続すると、前記車両が停車していると判定することを特徴とする請求項５に記載した車両用操舵制御装置。
【請求項７】
ステアリングホイールと転舵輪との間のトルク伝達経路を機械的に分離する開放状態と、前記トルク伝達経路を機械的に連結する締結状態と、に切り替わるクラッチの前記開放状態では、前記ステアリングホイールの操舵角に応じて前記転舵輪を転舵制御する車両用操舵制御方法であって、
車両のイグニッションスイッチがオン状態であるとともに前記車両に搭載したバッテリの電圧が予め設定した電圧閾値未満となると、前記クラッチを前記開放状態から前記締結状態に切り替え、
前記電圧閾値未満の電圧が電圧閾値以上となると、前記開放状態のクラッチが前記締結状態に切り替わる直前に前記操舵角と前記車両の速度に基づいて推定した転舵角である締結前推定転舵角と、前記車両の走行状態が直進であると判定した時に推定した転舵角である直進判定後推定転舵角と、を推定し、
前記クラッチを前記開放状態から前記締結状態に切り替えると、前記締結前推定転舵角を用いて前記車両の運転者に対する運転支援機能を制御し、前記クラッチを前記締結状態から前記開放状態に切り替えると、前記締結状態のクラッチが前記開放状態に切り替わるまでの期間であるクラッチ状態移行期間内では、当該クラッチ状態移行期間内で前記締結前推定転舵角を前記直進判定後推定転舵角まで連続的に変化させた転舵角である連続変化転舵角を用いて前記運転支援機能を制御することを特徴とする車両用操舵制御方法。
【発明の詳細な説明】
【技術分野】
【０００１】
本発明は、ステアリングホイールと転舵輪との間のトルク伝達経路を機械的に分離した状態で、転舵輪を、ステアリングホイールの操舵操作に応じて転舵モータ等のアクチュエータを介して転舵させる、車両用操舵制御装置及び車両用操舵制御方法に関する。
【背景技術】
【０００２】
車両の転舵輪を制御する装置として、例えば、特許文献１に記載されているように、ステアリングホイール（操舵操作子）と転舵輪とを、機械的に分離させたステアバイワイヤ方式（ＳＢＷ方式）の車両用操舵制御装置がある。
【先行技術文献】
【特許文献】
【０００３】
【特許文献１】特開２００４‐２９１８７７号公報
【発明の概要】
【発明が解決しようとする課題】
【０００４】
ＳＢＷ方式の車両用操舵制御装置では、駐車時等、イグニッションスイッチをオフ状態に切り替えて、バッテリからＥＣＵ（演算部）への電力の供給を遮断する際に、イグニッションスイッチをオフ状態に切り替えた時点で推定した、転舵輪の転舵角を記憶する。これに加え、トルク伝達経路を機械的に連結する。そして、車両の発進時等に、オフ状態のイグニッションスイッチをオン状態に切り替えると、トルク伝達経路を機械的に分離し、記憶している転舵角に基づき、トルク伝達経路を機械的に分離した状態における転舵輪の転舵制御（ＳＢＷ制御）を行なう。
【０００５】
しかしながら、特許文献１を含め、従来のＳＢＷ方式の車両用操舵制御装置では、バッテリからＥＣＵへの電力の供給が制御対象外の状態で遮断されると、記憶していた転舵角を読み出せない場合がある。
このため、ＥＣＵへの電力の供給が制御対象外の状態で遮断されると、記憶している転舵角に基づいて行う制御である運転支援機能の制御（ＡＢＳ制御等）を行なうことができないという問題が発生するおそれがある。
本発明は、上記のような問題点に着目してなされたもので、記憶している転舵角を読み出せない場合であっても、運転支援機能の制御を行なうことが可能な、車両用操舵制御装置及び操舵制御方法を提供することを目的とする。
【課題を解決するための手段】
【０００６】
上記課題を解決するために、本発明は、イグニッションスイッチがオン状態であるとともにバッテリの電圧が予め設定した電圧閾値未満となると、クラッチを開放状態から締結状態に切り替え、締結前推定転舵角を用いて運転支援機能を制御する。そして、締結状態のクラッチが開放状態に切り替わるまでの期間であるクラッチ状態移行期間内では、連続変化転舵角を用いて運転支援機能を制御する。
ここで、締結前推定転舵角は、電圧閾値未満の電圧が電圧閾値以上となった状態で、開放状態のクラッチが締結状態に切り替わる直前に推定した転舵輪の転舵角である。また、連続変化転舵角は、クラッチ状態移行期間内で締結前推定転舵角を直進判定後推定転舵角まで連続的に変化させた転舵角である。また、直進判定後推定転舵角は、電圧閾値未満の電圧が電圧閾値以上となった状態で、車両の走行状態が直進であると判定した時に推定した転舵角である。
【発明の効果】
【０００７】
本発明によれば、クラッチを締結状態から開放状態に切り替えると、締結前推定転舵角を用いて運転支援機能を制御することが可能となる。これに加え、クラッチ状態移行期間内では、連続変化転舵角を用いて運転支援機能を制御することが可能となる。
このため、記憶している転舵角を読み出せない場合であっても、クラッチを締結状態から開放状態に切り替えた時点から、推定精度が高い状態で推定した転舵角を用いて、運転支援機能を制御することが可能となる。これに加え、クラッチ状態移行期間内において、車両の操舵状態、制動力、駆動力等に対する制御の急激な変化を抑制することが可能となり、円滑な運転支援機能の制御を行なうことが可能となる。
【図面の簡単な説明】
【０００８】
【図１】本発明の第一実施形態の車両用操舵制御装置を備えた車両の概略構成を示す図である。
【図２】総合コントローラの構成を示すブロック図である。
【図３】転舵角推定マップを示す図である。
【図４】リミット角設定マップを示す図である。
【図５】走行モード設定部が走行モードの設定に用いるテーブルを示す図である。
【図６】総合コントローラが行なう処理を示すフローチャートである。
【図７】総合コントローラが行なう処理を示すタイムチャートである。
【図８】本発明の第一実施形態の車両用操舵制御装置を用いた車両の動作を示すタイムチャートである。
【発明を実施するための形態】
【０００９】
以下、本発明の実施形態について図面を参照しつつ説明する。
（第一実施形態）
以下、本発明の第一実施形態（以下、本実施形態と記載する）について、図面を参照しつつ説明する。
（構成）
図１は、本実施形態の車両用操舵制御装置を備えた車両の概略構成を示す図である。
本実施形態の車両用操舵制御装置１を備えた車両は、ステアバイワイヤ（ＳＢＷ：Ｓｔｅｅｒ  Ｂｙ  Ｗｉｒｅ、以降の説明では、「ＳＢＷ」と記載する場合がある）と呼称するシステム（ＳＢＷシステム）を適用した車両である。
【００１０】
ここで、ＳＢＷシステムでは、車両の運転者が操舵操作するステアリングホイール（操舵輪）の操作に応じてアクチュエータ（例えば、転舵モータ）を駆動制御して、転舵輪を転舵する制御を行うことにより、車両の進行方向を変化させる。転舵モータの駆動制御は、ステアリングホイールと転舵輪との間に介装するクラッチを、通常状態である開放状態に切り替えて、ステアリングホイールと転舵輪との間のトルク伝達経路を機械的に分離した状態で行う。また、転舵モータの駆動制御は、クラッチを開放状態に切り替えて、ステアリングホイールの操舵角に応じた目標転舵角を算出し、この算出した目標転舵角に応じて行なう。
【００１１】
そして、例えば、断線等、ＳＢＷシステムの一部に異常が発生した場合や、車両に搭載したバッテリの電圧が低下してＳＢＷシステムの制御が不可能となった場合等には、開放状態のクラッチを締結状態に切り替えて、トルク伝達経路を機械的に接続する。これにより、運転者がステアリングホイールに加える力を用いて、転舵輪の転舵を継続する。これに加え、運転者によるステアリングホイールの操作状態（操舵量、操舵トルク、操舵速度等）に応じて、転舵モータからアシストトルクを出力するＥＰＳ（Ｅｌｅｃｔｒｉｃ  Ｐｏｗｅｒ  Ｓｔｅｅｒｉｎｇ）制御を行なう。なお、車両の構成を、例えば、車室内に配置した制御切り替えスイッチを備える構成として、運転者が制御切り替えスイッチを操作することにより、ＳＢＷシステムによる制御からＥＰＳ制御への切り替えを、運転者により任意に行なうことが可能な構成としてもよい。
【００１２】
図１中に示すように、本実施形態の車両用操舵制御装置１は、第一転舵モータ２と、第二転舵モータ４と、反力モータ６と、クラッチ８と、操舵角検出部１０と、車速検出部１２と、ヨーレート検出部１４を備える。これに加え、車両用操舵制御装置１は、第一転舵モータ角度センサ１６と、第二転舵モータ角度センサ１８と、第一転舵モータトルクセンサ２０と、総合コントローラ２２を備える。
【００１３】
第一転舵モータ２は、総合コントローラ２２が出力する転舵モータ駆動電流に応じて駆動する電動モータであり、上述した目標転舵角に応じて回転して、転舵輪２４を転舵制御する転舵アクチュエータを形成する。また、第一転舵モータ２は、転舵モータ駆動電流に応じて駆動することにより、転舵輪２４を転舵させるための第一転舵トルクを出力する。なお、転舵アクチュエータとしては、電動モータ以外に、動力シリンダーや、ソレノイドを備えた油圧回路等を用いることが可能である。
また、第一転舵モータ２は、回転可能な第一転舵モータ出力軸２６を有する。
第一転舵モータ出力軸２６の先端側には、ピニオンギヤを用いて形成した第一転舵出力歯車（図示せず）を設けてある。
第一転舵出力歯車は、ステアリングラック２８に挿通させたラック軸３０の両端部間に設けたラックギア（図示せず）と噛合する。
【００１４】
第二転舵モータ４は、第一転舵モータ２と同様、総合コントローラ２２が出力する転舵モータ駆動電流に応じて駆動する電動モータであり、上述した目標転舵角に応じて回転して、転舵輪２４を転舵制御する転舵アクチュエータを形成する。また、第二転舵モータ４は、第一転舵モータ２と同様、転舵モータ駆動電流に応じて駆動することにより、転舵輪２４を転舵させるための第二転舵トルクを出力する。
また、第二転舵モータ４は、回転可能な第二転舵モータ出力軸３２を有する。
第二転舵モータ出力軸３２の先端側には、ピニオンギヤを用いて形成し、ラックギアと噛合する第二転舵出力歯車（図示せず）を設けてある。
【００１５】
ステアリングラック２８は、円筒形状に形成してあり、ラック軸３０を挿通させる。
ラック軸３０は、第一転舵モータ出力軸２６及び第二転舵モータ出力軸３２のうち少なくとも一方の回転、すなわち、第一転舵出力歯車及び第二転舵出力歯車のうち少なくとも一方の回転に応じて車幅方向へ変位する。
また、ラック軸３０の両端は、それぞれ、タイロッド３４及びナックルアーム３６を介して、転舵輪２４に連結する。
【００１６】
転舵輪２４は、車両の前輪（左右前輪）であり、第一転舵モータ出力軸２６及び第二転舵モータ出力軸３２のうち少なくとも一方の回転に応じてラック軸３０が車幅方向へ変位すると、タイロッド３４及びナックルアーム３６を介して転舵する。これにより、車両の進行方向を変化させる。なお、本実施形態では、転舵輪２４を、左右前輪で形成した場合を説明する。これに伴い、図１中では、左前輪で形成した転舵輪２４を、転舵輪２４ＦＬと示し、右前輪で形成した転舵輪２４を、転舵輪２４ＦＲと示す。
【００１７】
反力モータ６は、総合コントローラ２２が出力する反力モータ駆動電流に応じて駆動する電動モータであり、ステアリングホイール３８へ操舵反力を出力可能な反力アクチュエータを形成する。なお、操舵反力の出力は、ステアリングホイール３８と共に回転するステアリングシャフト４０を回転させて行なう。ここで、反力モータ６がステアリングホイール３８へ出力する操舵反力は、転舵輪２４に作用しているタイヤ軸力やステアリングホイール３８の操舵状態に応じて演算する。この演算は、クラッチ８を開放状態に切り替えて、ステアリングホイール３８と転舵輪２４との間のトルク伝達経路を機械的に分離させている状態で行なう。これにより、ステアリングホイール３８を操舵する運転者へ、適切な操舵反力を伝達する。すなわち、反力モータ６がステアリングホイール３８へ出力する操舵反力は、運転者がステアリングホイール３８を操舵する操作方向とは反対方向へ作用する反力である。なお、反力アクチュエータとしては、電動モータ以外に、動力シリンダーや、ソレノイドを備えた油圧回路等を用いることが可能である。
【００１８】
クラッチ８は、運転者が操作するステアリングホイール３８と転舵輪２４との間に介装し、総合コントローラ２２が出力するクラッチ指令電流に応じて、開放状態または締結状態に切り替わる。なお、クラッチ８は、通常状態では、開放状態である。
ここで、クラッチ８を開放状態に切り換えると、ステアリングシャフト４０の一端側とピニオン軸４２の一端側を離間させる。これにより、ステアリングホイール３８と転舵輪２４との間のトルク伝達経路を機械的に分離させて、ステアリングホイール３８の操舵操作が転舵輪２４へ伝達されない状態とする。なお、ステアリングシャフト４０は、一端側をクラッチ８の内部で操舵側クラッチ板（図示せず）に連結し、他端側をステアリングホイール３８に連結して、ステアリングホイール３８と共に回転する。また、ピニオン軸４２は、一端側をクラッチ８の内部で転舵側クラッチ板（図示せず）に連結し、他端側に設けた歯車（図示せず）をラックギアに噛合させる。
【００１９】
一方、クラッチ８を締結状態に切り換えると、ステアリングシャフト４０の一端側とピニオン軸４２の一端側を連結する。これにより、ステアリングホイール３８と転舵輪２４との間のトルク伝達経路を機械的に連結させて、ステアリングホイール３８の操舵操作が転舵輪２４へ伝達される状態とする。
操舵角検出部１０は、例えば、ロータリーエンコーダ等を用いて形成し、ステアリングホイール３８を回転可能に支持するステアリングコラム（図示せず）に設ける。
【００２０】
また、操舵角検出部１０は、ステアリングホイール３８の現在の回転角度（操舵操作量）である現在操舵角を検出する。そして、操舵角検出部１０は、検出したステアリングホイール３８の現在操舵角を含む情報信号を、総合コントローラ２２へ出力する。
ここで、近年の車両は、ステアリングホイール３８の操舵角を検出可能なセンサを、標準的に備えている場合が多い。このため、本実施形態では、操舵角検出部１０として、車両に既存のセンサである、ステアリングホイール３８の操舵角を検出可能なセンサを用いた場合について説明する。
【００２１】
車速検出部１２は、例えば、公知の車速センサであり、車両の車速を検出し、この検出した車速を含む情報信号を、総合コントローラ２２へ出力する。
ヨーレート検出部１４は、車両のヨーレートを検出し、この検出したヨーレートを含む情報信号を、総合コントローラ２２へ出力する。
第一転舵モータ角度センサ１６は、例えば、レゾルバ等を用いて形成し、第一転舵モータ２に設ける。
【００２２】
また、第一転舵モータ角度センサ１６は、第一転舵モータ２の回転角度（転舵角度）を検出する。そして、第一転舵モータ角度センサ１６は、検出した転舵角度（以降の説明では、「第一転舵モータ回転角」と記載する場合がある）を含む情報信号を、総合コントローラ２２へ出力する。
第一転舵モータトルクセンサ２０は、例えば、トーションバーを有するセンサ等を用いて形成し、第一転舵モータ２に設ける。
また、第一転舵モータトルクセンサ２０は、第一転舵モータ２が駆動時に発生させるトルクである第一転舵モータトルクを検出する。そして、第一転舵モータトルクセンサ２０は、検出した第一転舵モータトルクを含む情報信号を、総合コントローラ２２へ出力する。
【００２３】
なお、本実施形態では、第一転舵モータトルクセンサ２０が検出した第一転舵モータトルクを、運転者がステアリングホイール３８に加えているトルクである操舵トルクに変換する。そして、この変換した操舵トルクを含む情報信号を、総合コントローラ２２へ出力する場合について説明する。
第二転舵モータ角度センサ１８は、第一転舵モータ角度センサ１６と同様、例えば、レゾルバ等を用いて形成し、第二転舵モータ４に設ける。
また、第二転舵モータ角度センサ１８は、第二転舵モータ４の回転角度（転舵角度）を検出する。そして、第二転舵モータ角度センサ１８は、検出した転舵角度（以降の説明では、「第二転舵モータ回転角」と記載する場合がある）を含む情報信号を、総合コントローラ２２へ出力する。
【００２４】
総合コントローラ２２は、第一転舵モータ２、第二転舵モータ４、反力モータ６、クラッチ８と、ＣＡＮ（Ｃｏｎｔｒｏｌｌｅｒ  Ａｒｅａ  Ｎｅｔｗｏｒｋ）やＦｌｅｘＲａｙ等の通信ライン４４を介して、情報信号の入出力を行う。
また、総合コントローラ２２は、通信ライン４４を介して、操舵角検出部１０、車速検出部１２、ヨーレート検出部１４、第一転舵モータ角度センサ１６、第二転舵モータ角度センサ１８、第一転舵モータトルクセンサ２０が出力する情報信号の入力を受ける。
また、総合コントローラ２２は、バッテリ４６の状態（電圧、電池容量等）を取得する。
なお、総合コントローラ２２の詳細な構成と、総合コントローラ２２が行なう具体的な処理についての説明は、後述する。
【００２５】
（総合コントローラ２２の詳細な構成）
次に、図１を参照しつつ、図２から図５を用いて、総合コントローラ２２の詳細な構成について説明する。
図２は、総合コントローラ２２の構成を示すブロック図である。
図２中に示すように、総合コントローラ２２は、転舵角記憶部４８と、第一転舵モータ制御部５０と、第二転舵モータ制御部５２と、反力モータ制御部５４と、転舵角推定用マップ記憶部５６を備える。これに加え、総合コントローラ２２は、転舵角推定部５８と、走行モード設定部６０と、クラッチ状態切り替え部６２と、運転支援機能制御部６４を備える。
【００２６】
転舵角記憶部４８は、ステアリングホイール３８の操舵角と転舵輪２４の実転舵角を共に中立位置：０［°］へ調整した状態における、第一転舵モータ２及び第二転舵モータ４の回転角度を記憶する。
ここで、第一転舵モータ２及び第二転舵モータ４の回転角度を記憶する処理は、例えば、車両の製造時や、車両の出荷前に行なう調整工程等において行う。また、ステアリングホイール３８の操舵角と転舵輪２４の実転舵角を共に中立位置へ調整した状態における、第一転舵モータ２及び第二転舵モータ４の回転角度とは、操舵角に対する第一転舵モータ回転角及び第一転舵モータ回転角の偏差である。また、操舵角に対する第一転舵モータ回転角及び第一転舵モータ回転角の偏差は、例えば、偏差角［ｄｅｇ］で表す。
【００２７】
本実施形態では、一例として、ステアリングホイール３８の操舵角と転舵輪２４の実転舵角を共に中立位置へ調整した状態における、第一転舵モータ２の回転角度を、操舵角に対する第一転舵モータ回転角の偏差が０［°］とした場合を説明する。同様に、ステアリングホイール３８の操舵角と転舵輪２４の実転舵角を共に中立位置へ調整した状態における、第二転舵モータ４の回転角度を、操舵角に対する第二転舵モータ回転角の偏差が０［°］とした場合を説明する。
【００２８】
また、転舵角記憶部４８は、転舵角推定部５８が推定した転舵輪２４の転舵角に応じて、記憶している操舵角と第一転舵モータ回転角及び第二転舵モータ回転角との関係を補正（上書き）する処理を行う。この処理は、例えば、転舵角推定部５８が推定した転舵輪２４の転舵角が、右回り（車両を右旋回させる方向）へ１０［°］である場合、操舵角に対する転舵モータ回転角の偏差を、左回りへ１０［°］に補正（上書き）する処理である。
【００２９】
第一転舵モータ制御部５０は、第一転舵モータ２を駆動させるための第一転舵モータ駆動電流を演算し、この演算した第一転舵モータ駆動電流を、第一転舵モータ２へ出力する。
ここで、第一転舵モータ駆動電流は、上述した第一転舵トルクを制御して、ステアリングホイール３８の操作に応じた目標転舵角を算出し、この算出した目標転舵角に応じて第一転舵モータ２を駆動制御するための電流である。また、第一転舵モータ駆動電流は、実際に第一転舵モータ２へ通電している電流の指令値と、転舵角記憶部４８が記憶している第一転舵モータ２の回転角度を用いて転舵モータ電流指令を補正し、演算する。
【００３０】
また、第一転舵モータ制御部５０は、実際に第一転舵モータ２へ通電している電流の指令値に基づいて、第一転舵モータ２の温度を推定する。さらに、推定した第一転舵モータ２の温度を含む情報信号を、走行モード設定部６０へ出力する。これは、電流の通電による抵抗発熱に起因する第一転舵モータ２の過熱を推定するためである。なお、実際に第一転舵モータ２へ通電している電流の指令値は、例えば、第一転舵モータ２に基板温度センサ（図示せず）を内蔵し、この内蔵した基板温度センサを用いて計測する。
【００３１】
第二転舵モータ制御部５２は、第二転舵モータ４を駆動させるための第二転舵モータ駆動電流を演算し、この演算した第二転舵モータ駆動電流を、第二転舵モータ４へ出力する。
ここで、第二転舵モータ駆動電流は、上述した第二転舵トルクを制御して、ステアリングホイール３８の操作に応じた目標転舵角を算出し、この算出した目標転舵角に応じて第二転舵モータ４を駆動制御するための電流である。また、第二転舵モータ駆動電流は、実際に第二転舵モータ４へ通電している電流の指令値と、転舵角記憶部４８が記憶している第二転舵モータ４の回転角度を用いて転舵モータ電流指令を補正し、演算する。
【００３２】
また、第二転舵モータ制御部５２は、第一転舵モータ制御部５０と同様、実際に第二転舵モータ４へ通電している電流の指令値に基づいて、第二転舵モータ４の温度を推定する。さらに、推定した第二転舵モータ４の温度を含む情報信号を、走行モード設定部６０へ出力する。
反力モータ制御部５４は、反力モータ６を駆動させるための反力モータ駆動電流を演算し、この演算した反力モータ駆動電流を、反力モータ６へ出力する。ここで、反力モータ駆動電流の演算は、実際に反力モータ６へ通電している電流の値に基づいて行う。
【００３３】
また、反力モータ制御部５４は、第一転舵モータ制御部５０と同様、実際に反力モータ６へ通電している電流の値に基づいて、反力モータ６の温度を推定する。さらに、推定した反力モータ６の温度を含む情報信号を、走行モード設定部６０へ出力する。
転舵角推定用マップ記憶部５６は、運転者によるステアリングホイール３８の操作量と、車両の速度（車速）に基づいて、転舵輪２４の転舵角を推定するためのマップを記憶している。
【００３４】
ここで、転舵角推定用マップ記憶部５６が記憶しているマップは、図３中に示す転舵角推定マップと、図４中に示すリミット角設定マップである。なお、図３は、転舵角推定マップを示す図であり、図４は、リミット角設定マップを示す図である。
転舵角推定マップは、図３中に示すように、横軸に操舵角を示し、縦軸に転舵角を示すマップである。また、転舵角推定マップには、図中に右上がりの直線で示すように、予め設定した車速に応じて、操舵角の変化に応じた転舵角の変化度合いを記憶させてある。
【００３５】
ここで、転舵角推定マップ中に右上がりの直線で示す変化度合いは、車速が０［ｋｍ／ｈ］の場合に、操舵角の変化に対する転舵角の変化量が最大となる。また、転舵角推定マップ中に右上がりの直線で示す変化度合いは、車速が０［ｋｍ／ｈ］からＶ３へと変化するにつれて、操舵角の変化に対する転舵角の変化量が減少する。なお、転舵角推定マップ中に示す車速Ｖ１からＶ３の大小関係は、「Ｖ１＜Ｖ２＜Ｖ３」である。すなわち、転舵角推定マップ中に右上がりの直線で示す変化度合いは、車速が増加するほど、操舵角の変化に対する転舵角の変化量が減少する。
【００３６】
リミット角設定マップは、図４中に示すように、横軸に転舵角を示すマップである。また、リミット角設定マップには、転舵輪２４の中立位置からの転舵限界角度である端当て角（例えば、５００［ｄｅｇ］）を、縦軸に示している。したがって、図中に示すように、転舵角が増加して端当て角に達すると、転舵輪２４の転舵角は、上限値であるリミット角に達することとなる。
【００３７】
ここで、端当て角は、転舵輪２４の転舵可能な限界の転舵角であり、例えば、車両の設計時、製造時、工場出荷時等において、予め設定する。すなわち、転舵輪２４の転舵角が端当て角に達している状態では、ステアリングホイール３８を操舵しても、転舵輪２４の転舵角は変化（増加）しない。
転舵角推定部５８は、操舵角検出部１０、車速検出部１２、第一転舵モータ角度センサ１６、第二転舵モータ角度センサ１８が出力した情報信号の入力を受ける。また、転舵角推定部５８は、バッテリ４６の電圧を検出する。これに加え、転舵角推定用マップ記憶部５６が記憶している転舵角推定マップとリミット角設定マップを参照する。
【００３８】
そして、バッテリ４６の電圧が、予め設定した電圧閾値未満から電圧閾値以上となると、操舵角検出部１０が検出した現在操舵角と、車速検出部１２が検出した車速を、転舵角推定マップに入力する。これにより、現在操舵角と車速に応じた、転舵輪２４の転舵角を推定する。このとき、推定した転舵角がリミット角設定マップに示すリミット角を超えている場合は、現在操舵角と車速に応じて推定した転舵角を、リミット角に補正する。
【００３９】
ここで、電圧閾値は、転舵角記憶部４８が記憶している第一転舵モータ２及び第二転舵モータ４の回転角度の読取状態が異常となる電圧である。すなわち、電圧閾値は、ＳＢＷ制御と、後述する運転支援機能の制御を行なうことができない電圧である。
すなわち、転舵角推定部５８は、バッテリ４６の電圧が電圧閾値未満から電圧閾値以上となると、操舵角検出部１０が検出した現在操舵角と、車速検出部１２が検出した車速に基づいて、転舵輪２４の転舵角を推定する。
【００４０】
走行モード設定部６０は、例えば、第一転舵モータ制御部５０、第二転舵モータ制御部５２及び反力モータ制御部５４が行なう処理の結果や、第一転舵モータ２、第二転舵モータ４、反力モータ６の状態に基づいて、車両の走行モードを設定する。これに加え、走行モード設定部６０は、例えば、転舵角記憶部４８が記憶している第一転舵モータ２及び第二転舵モータ４の回転角度の読取状態に応じて、車両の走行モードを設定する。
【００４１】
具体的には、図５中に示すように、第一転舵モータ制御部５０、第二転舵モータ制御部５２及び反力モータ制御部５４の診断結果と、回転角度の読取状態が全て正常（図中では、「○」で示す）であれば、走行モードを、通常のＳＢＷ制御に設定する。なお、通常のＳＢＷ制御とは、第一転舵モータ２、第二転舵モータ４及び反力モータ６を用いるＳＢＷ制御（図中では、「２Ｍ‐ＳＢＷ」と示す）である。また、図５は、走行モード設定部６０が走行モードの設定に用いるテーブルを示す図である。
【００４２】
また、図５中に示すように、回転角度の読取状態が異常（図中では、「×」で示す）である、すなわち、転舵角記憶部４８が記憶している回転角度を読み取れない場合では、走行モードを、Ｔｍｐ‐ＥＰＳ制御に設定する。なお、Ｔｍｐ‐ＥＰＳ制御とは、第一転舵モータ２、第二転舵モータ４及び反力モータ６を用いるＥＰＳ制御（図中では、「Ｔｍｐ‐ＥＰＳ（２Ｍ‐ＥＰＳ）」と示す）であり、一時的に行なうＥＰＳ制御である。
【００４３】
なお、図５中には、第一転舵モータ２、第二転舵モータ４及び反力モータ６のうち、全てのモータを用いずに、少なくとも第一転舵モータ２を用いるＥＰＳ制御を、「１Ｍ‐ＥＰＳ」と示す。また、図５中には、第二転舵モータ４及び反力モータ６を用いるＳＢＷ制御を、１Ｍ‐ＳＢＷと示す。また、図５中には、全てのモータを用いずに、クラッチ８を締結状態として、運転者によるステアリングホイール３８の操舵操作により転舵輪２４の転舵を行なう走行モードを、「ＭＳ」と示す。
【００４４】
クラッチ状態切り替え部６２は、車両のイグニッションスイッチの状態と、走行モード設定部６０が設定した走行モードと、バッテリ４６の電圧に基づいて、クラッチ８の状態を切り替える。
具体的には、イグニッションスイッチがオン状態である場合、クラッチ８を開放状態に切り替えるためのクラッチ電流指令を、クラッチ８へ出力する。また、走行モード設定部６０が、走行モードを、「２Ｍ‐ＳＢＷ」または「１Ｍ‐ＳＢＷ」に設定すると、クラッチ８を開放状態に切り替えるためのクラッチ電流指令を、クラッチ８へ出力する。なお、イグニッションスイッチがオン状態であるとの判定は、エンジンが作動している場合に限定するものではない。この場合、運転者等によりイグニッションスイッチが操作されたことを検出すると、エンジンが停止していても、イグニッションスイッチがオン状態であると判定してもよい。これは、以降の説明においても同様である。また、エンジンが停止していても、車両のイグニッションスイッチがオン状態であるとは、例えば、イグニッションスイッチの操作位置が、ＡＣＣ（アクセサリーポジション）となっている場合である。
【００４５】
また、イグニッションスイッチがオン状態である場合に、バッテリ４６の電圧が、電圧閾値未満となると、開放状態のクラッチ８を締結状態に切り替えるためのクラッチ電流指令を、クラッチ８へ出力する。
また、電圧閾値未満となった電圧が電圧閾値以上となると、車両の走行状態に応じて、締結状態のクラッチ８を開放状態に切り替えるためのクラッチ電流指令を、クラッチ８へ出力する。なお、電圧閾値未満となった電圧が電圧閾値以上となった状態における、車両の走行状態に応じて締結状態のクラッチ８を開放状態に切り替える処理については、後述する。
【００４６】
一方、イグニッションスイッチがオフ状態である場合、クラッチ８を締結状態に切り替えるためのクラッチ電流指令を、クラッチ８へ出力する。また、走行モード設定部６０が、走行モードを、「Ｔｍｐ‐ＥＰＳ（２Ｍ‐ＥＰＳ）」、「１Ｍ‐ＥＰＳ」、「ＭＳ」のうちいずれかに設定すると、クラッチ８を開放状態に切り替えるためのクラッチ電流指令を、クラッチ８へ出力する。
【００４７】
運転支援機能制御部６４は、例えば、ＡＢＳ制御、ＶＤＣ制御、車線内走行維持支援制御等の運転支援機能を行なうために、車両の操舵状態、制動力、駆動力等を制御する処理を行う。ここで、ＡＢＳ（Ａｎｔｉｌｏｃｋ  Ｂｒａｋｅ  Ｓｙｓｔｅｍ）制御とは、車輪のロックを防止する制御であり、ＶＤＣ（Ｖｅｈｉｃｌｅ  Ｄｙｎａｍｉｃｓ  Ｃｏｎｔｒｏｌ）制御とは、車両の横滑りを抑制する制御である。また、車線内走行維持支援制御とは、車線内を走行する車両が車線外へ逸脱することを抑制する制御である。
【００４８】
また、運転支援機能制御部６４は、上述した各種の運転支援機能を行なうために、転舵角推定部５８が推定した転舵角を用いる。
また、運転支援機能制御部６４は、走行モード設定部６０から転舵角補正中フラグの入力を受けると、転舵角推定部５８が推定した転舵角を仮の転舵角として用い、各種の運転支援機能を行なう。これは、例えば、ＶＤＣ制御等において、転舵角推定部５８が推定した転舵角を正規の転舵角として用いる場合と比較して、転舵角の占める重要度を、他のパラメータ（車速等）が占める重要度よりも低下させる処理である。
【００４９】
また、転舵角補正中フラグは、前回、イグニッションスイッチをオフ状態とした時点で推定した転舵角を、転舵角記憶部４８に記憶できない場合において、新たに転舵角を推定している状態を示すフラグである。なお、前回の推定した転舵角を転舵角記憶部４８に記憶できない場合とは、バッテリ４６から総合コントローラ２２（ＥＣＵ）への電力の供給が、制御対象外の状態で遮断される場合である。
【００５０】
ここで、バッテリ４６から総合コントローラ２２への電力の供給が、制御対象外の状態で遮断される場合とは、例えば、バッテリの瞬間的な電圧降下（瞬低）や、バッテリ端子からのケーブル外れ等である。この状態では、総合コントローラ２２への電力の供給が制御対象外の状態で遮断されると、ＳＢＷ制御を行なうことができないという問題が発生するおそれがある。
【００５１】
（総合コントローラ２２が行なう具体的な処理）
次に、図１から図５を参照しつつ、図６及び図７を用いて、総合コントローラ２２が行なう具体的な処理について説明する。
図６は、総合コントローラ２２が行なう処理を示すフローチャートである。
図６中に示すように、総合コントローラ２２が行なう処理は、オフ状態のイグニッションスイッチをオン状態に切り替える、または、バッテリ４６の電圧が電圧閾値未満となった後に電圧閾値以上となると開始（ＳＴＡＲＴ）する。
【００５２】
総合コントローラ２２が行なう処理を開始すると、まず、ステップＳ１００において、転舵角記憶部４８が記憶している回転角度を読み出す処理（図中に示す「記憶転舵角読み出し」）を行う。ステップＳ１００において、転舵角記憶部４８が記憶している回転角度を読み出すと、総合コントローラ２２が行なう処理は、ステップＳ１０２へ移行する。
ステップＳ１０２では、ステップＳ１００で行なった処理、すなわち、転舵角記憶部４８が記憶している回転角度を読み出す処理が正常に行なわれたか否かを判定する処理（図中に示す「読み出しＯＫ？」）を行う。
【００５３】
ステップＳ１０２において、転舵角記憶部４８が記憶している回転角度を読み出す処理が正常に行なわれた（図中に示す「Ｙｅｓ」）と判定した場合、総合コントローラ２２が行なう処理は、ステップＳ１０４へ移行する。
一方、ステップＳ１０２において、転舵角記憶部４８が記憶している回転角度を読み出す処理が正常に行なわれていない（図中に示す「Ｎｏ」）と判定した場合、総合コントローラ２２が行なう処理は、ステップＳ１０６へ移行する。
ステップＳ１０４では、転舵角推定部５８により、転舵輪２４の転舵角を推定する処理（図中に示す「転舵角推定」）を行う。ステップＳ１０４において、転舵輪２４の転舵角を推定する処理を行うと、総合コントローラ２２が行なう処理は、ステップＳ１０８へ移行する。
【００５４】
ステップＳ１０６では、ステップＳ１０４と同様、転舵角推定部５８により、転舵輪２４の転舵角を推定する処理（図中に示す「転舵角推定」）を行う。ステップＳ１０６において、転舵輪２４の転舵角を推定する処理を行うと、総合コントローラ２２が行なう処理は、ステップＳ１１４へ移行する。
ステップＳ１０８では、ステップＳ１０４で行なった処理、すなわち、転舵角推定部５８が転舵輪２４の転舵角を推定する処理が正常に行なわれたか否かを判定する処理（図中に示す「転舵角推定ＯＫ？」）を行う。
ステップＳ１０８において、転舵角を推定する処理が正常に行なわれた（図中に示す「Ｙｅｓ」）と判定した場合、総合コントローラ２２が行なう処理は、ステップＳ１１０へ移行する。
【００５５】
一方、ステップＳ１０８において、転舵角を推定する処理が正常に行なわれていない（図中に示す「Ｎｏ」）と判定した場合、総合コントローラ２２が行なう処理は、ステップＳ１１２へ移行する。ここで、転舵角を推定する処理が正常に行なわれていない場合とは、例えば、操舵角検出部１０、車速検出部１２、第一転舵モータ角度センサ１６、第二転舵モータ角度センサ１８のうち、いずれかが故障している場合である。また、転舵角を推定する処理が正常に行なわれていない場合とは、例えば、第一転舵モータ制御部５０、第二転舵モータ制御部５２、反力モータ制御部５４のうち、いずれかが故障（演算不良）している場合を含んでもよい。
【００５６】
ステップＳ１１０では、走行モード設定部６０により、車両の走行モードを、「２Ｍ‐ＳＢＷ」または「１Ｍ‐ＳＢＷ」に設定する処理（図中に示す「ＳＢＷ制御へ移行」）を行う。ステップＳ１１０において、車両の走行モードを、「２Ｍ‐ＳＢＷ」または「１Ｍ‐ＳＢＷ」に設定すると、総合コントローラ２２が行なう処理は終了（ＥＮＤ）する。
ステップＳ１１２では、走行モード設定部６０により、車両の走行モードを、「１Ｍ‐ＥＰＳ」に設定する処理（図中に示す「１Ｍ‐ＥＰＳ制御へ移行」）を行う。ステップＳ１１２において、車両の走行モードを、「１Ｍ‐ＥＰＳ」に設定すると、総合コントローラ２２が行なう処理は終了（ＥＮＤ）する。
【００５７】
ステップＳ１１４では、ステップＳ１０６で行なった処理、すなわち、転舵角推定部５８が転舵輪２４の転舵角を推定する処理が正常に行なわれたか否かを判定する処理（図中に示す「転舵角推定ＯＫ？」）を行う。
ステップＳ１１４において、転舵角を推定する処理が正常に行なわれた（図中に示す「Ｙｅｓ」）と判定した場合、総合コントローラ２２が行なう処理は、ステップＳ１１６へ移行する。
【００５８】
一方、ステップＳ１１４において、転舵角を推定する処理が正常に行なわれていない（図中に示す「Ｎｏ」）と判定した場合、総合コントローラ２２が行なう処理は、ステップＳ１１２へ移行する。ここで、転舵角を推定する処理が正常に行なわれていない場合とは、上述したステップＳ１０８で行なう処理と同様の場合である。
ステップＳ１１６では、走行モード設定部６０により、車両の走行モードを、「Ｔｍｐ‐ＥＰＳ」に設定する処理（図中に示す「Ｔｍｐ‐ＥＰＳ制御へ移行」）を行う。これに加え、ステップＳ１１６では、転舵角補正中フラグを運転支援機能制御部６４へ送信する処理（図中に示す「転舵角補正中フラグ送信」）を行う。ステップＳ１１６において、車両の走行モードを「Ｔｍｐ‐ＥＰＳ」に設定し、転舵角補正中フラグを運転支援機能制御部６４へ送信すると、総合コントローラ２２が行なう処理は、ステップＳ１１８へ移行する。
【００５９】
ステップＳ１１８では、以下に示す三条件Ｃ１〜Ｃ３が全て成立しているか否かを判断することにより、車両が直進しているか否かを判定する処理（図中に示す「直進判断条件成立？」）を行う。
Ｃ１．車速検出部１２により検出した車速が、予め設定した車速閾値以上である。なお、本実施形態では、一例として、車速閾値を、４０［ｋｍ／ｈ］と設定した場合を説明する。
Ｃ２．ヨーレート検出部１４により検出した車両のヨーレートの絶対値が、予め設定したヨーレート閾値以下である。なお、本実施形態では、一例として、ヨーレート閾値を、０．２［ｄｅｇ／ｓ］と設定した場合を説明する。
Ｃ３．操舵角検出部１０により検出した現在操舵角の単位時間当たりの変化量に基づく操舵角速度の絶対値が、予め設定した直進判定用操舵角速度閾値以下である。なお、本実施形態では、一例として、直進判定用操舵角速度閾値を、２０［ｄｅｇ／ｓ］と設定した場合を説明する。
【００６０】
なお、上記の条件Ｃ１〜Ｃ３は、予め設定し、例えば、総合コントローラ２２に記憶させておく。
ステップＳ１１８において、上述した三条件Ｃ１〜Ｃ３が全て成立していると判断し、車両が直進している（図中に示す「Ｙｅｓ」）と判定した場合、総合コントローラ２２が行なう処理は、ステップＳ１２０へ移行する。
一方、ステップＳ１１８において、上述した三条件Ｃ１〜Ｃ３のうち少なくとも一つが成立していないと判断し、車両が直進していない（図中に示す「Ｎｏ」）と判定した場合、総合コントローラ２２が行なう処理は、ステップＳ１１８の処理を繰り返す。
【００６１】
ステップＳ１２０では、車両が直進していると判定した状態が継続している時間を計測する処理（図中に示す「タイマカウントＵＰ」）を行う。ステップＳ１２０において、車両が直進していると判定した状態が継続している時間を計測する処理を行うと、総合コントローラ２２が行なう処理は、ステップＳ１２２へ移行する。
ステップＳ１２２では、ステップＳ１２０の処理で計測を開始した、車両が直進していると判定した状態が継続している時間が、予め設定した直進判断時間閾値以上であるか否かを判定する処理（図中に示す「ＵＰ≧１０００ｍｓ？」）を行う。なお、本実施形態では、一例として、直進判断時間閾値を、１０００［ｍｓ］と設定した場合を説明する。
【００６２】
ステップＳ１２２において、車両が直進していると判定した状態が継続している時間が直進判断時間閾値以上である（図中に示す「Ｙｅｓ」）と判定した場合、総合コントローラ２２が行なう処理は、ステップＳ１２４へ移行する。
一方、ステップＳ１２２において、車両が直進していると判定した状態が継続している時間が直進判断時間閾値未満である（図中に示す「Ｎｏ」）と判定した場合、総合コントローラ２２が行なう処理は、ステップＳ１１８へ移行する。
ステップＳ１２４では、転舵角推定部５８により、転舵輪２４の転舵角を推定する処理を行う。
【００６３】
ここで、ステップＳ１２４では、上述したステップＳ１０４及びステップＳ１０６と異なり、車両が直進している状態、すなわち、操舵角と転舵角が中立位置または中立位置近傍となっている状態で、転舵輪２４の転舵角を推定する処理を行うこととなる。
したがって、ステップＳ１２４では、ステアリングホイール３８の操舵角と転舵輪２４の実転舵角を共に中立位置：０［°］へ調整した状態における転舵角、すなわち、正しい転舵角を推定する処理（図中に示す「正しい転舵角を推定」）を行うこととなる。ステップＳ１２４において、転舵輪２４の転舵角を推定する処理を行うと、総合コントローラ２２が行なう処理は、ステップＳ１２６へ移行する。
【００６４】
ここで、「正しい転舵角」とは、例えば、ステップＳ１１８において車両が直進していると判定した時点における転舵角を、３［°］と推定した場合は、事後の処理において推定した転舵角から３［°］を減算した角度である。これは、車両が直進している状態では、ステアリングホイール３８の操舵角と転舵輪２４の実転舵角が、共に中立位置：０［°］であることが理由である。これに加え、車両が直進している状態で０［°］から変位している角度は、例えば、演算処理上の誤差や、クラッチ８の締結、トルク伝達経路を構成するシャフト等のねじれによって発生する角度偏差であることが理由である。
【００６５】
ステップＳ１２６では、以下に示す三条件Ｃ４〜Ｃ６が全て成立しているか否かを判断することにより、ステアリングホイール３８が操舵されていない状態で車両が停車しているか否かを判定する処理（図中に示す「非操舵停車条件成立？」）を行う。なお、以降の説明では、ステアリングホイール３８が操舵されていない状態を、「非操舵状態」と記載する場合がある。
【００６６】
Ｃ４．車速検出部１２により検出した車速が、０［ｋｍ／ｈ］である。
Ｃ５．操舵角検出部１０により検出した現在操舵角の単位時間当たりの変化量に基づく操舵角速度の絶対値が、予め設定した非操舵判定用操舵角速度閾値以下である。なお、本実施形態では、一例として、非操舵判定用操舵角速度閾値を、１０［ｄｅｇ／ｓ］と設定した場合を説明する。
Ｃ６．第一転舵モータトルクセンサ２０により検出した第一転舵モータトルクの絶対値が、予め設定した非操舵判定用トルク閾値以下である。なお、本実施形態では、一例として、非操舵判定用トルク閾値を、１［Ｎｍ］と設定した場合を説明する。
【００６７】
なお、上記の条件Ｃ４〜Ｃ６は、予め設定し、例えば、総合コントローラ２２に記憶させておく。また、上記の条件Ｃ５及びＣ６が成立している状態は、予め設定した非操舵状態に対応する。
ステップＳ１２６において、非操舵状態で車両が停車している（図中に示す「Ｙｅｓ」）と判定した場合、総合コントローラ２２が行なう処理は、ステップＳ１２８へ移行する。これは、上述した三条件Ｃ４〜Ｃ６が全て成立していると判断した場合である。
【００６８】
一方、ステップＳ１２６において、非操舵状態の条件及び車両が停車している条件のうち少なくとも一方が成立していない（図中に示す「Ｎｏ」）と判定した場合、総合コントローラ２２が行なう処理は、ステップＳ１２６の処理を繰り返す。上述した三条件Ｃ４〜Ｃ６のうち少なくとも一つが成立していないと判断した場合である。
ステップＳ１２８では、非操舵状態で車両が停車していると判定した状態が継続している時間を計測する処理（図中に示す「タイマカウントＵＰ」）を行う。ステップＳ１２８において、非操舵状態で車両が停止していると判定した状態が継続している時間を計測する処理を行うと、総合コントローラ２２が行なう処理は、ステップＳ１３０へ移行する。
【００６９】
ステップＳ１３０では、ステップＳ１２８の処理で計測を開始した、非操舵状態で車両が停車していると判定した状態が継続している時間が、予め設定した非操舵停止判断時間閾値以上であるか否かを判定する処理（図中に示す「ＵＰ≧１０００ｍｓ？」）を行う。なお、本実施形態では、一例として、非操舵停止判断時間閾値を、１０００［ｍｓ］と設定した場合を説明する。
【００７０】
ステップＳ１３０において、非操舵状態で車両が停車していると判定した状態が継続している時間が非操舵停止判断時間閾値以上である（図中に示す「Ｙｅｓ」）と判定した場合、総合コントローラ２２が行なう処理は、ステップＳ１３２へ移行する。
一方、ステップＳ１３０において、非操舵状態で車両が停車していると判定した状態が継続している時間が非操舵停止判断時間閾値未満である（図中に示す「Ｎｏ」）と判定した場合、総合コントローラ２２が行なう処理は、ステップＳ１２６へ移行する。
【００７１】
ステップＳ１３２では、ステップＳ１２４で推定した正しい転舵角を用いて、転舵角記憶部４８に記憶している操舵角と第一転舵モータ回転角及び第一転舵モータ回転角との関係を補正（上書き）する処理を行う。これにより、ステップＳ１３２では、転舵角記憶部４８に記憶している操舵角に対する転舵モータ回転角を、ステップＳ１２４で推定した正しい転舵角を用いて更新する処理（図中に示す「正しい転舵角に更新」）を行うこととなる。
【００７２】
これに加え、ステップＳ１３２では、推定した正しい転舵角を含む情報信号を、運転支援機能制御部６４へ送信する処理（図中に示す「転舵角情報を送信」）を行う。これに伴い、運転支援機能制御部６４への転舵角補正中フラグの送信を停止する。
ここで、ステップＳ１３２において、運転支援機能制御部６４へ送信する情報信号は、締結前推定転舵角を直進判定後推定転舵角まで連続的に変化させた転舵角である連続変化転舵角を含む情報信号とする。
【００７３】
なお、締結前推定転舵角は、ステップＳ１０６で推定した転舵角、すなわち、開放状態のクラッチ８が締結状態に切り替わる直前に推定した、転舵輪２４の転舵角である。また、直進判定後推定転舵角は、ステップＳ１２４で推定した転舵角、すなわち、車両の走行状態が直進であると判定した時に推定した、転舵輪２４の転舵角である。
【００７４】
すなわち、本実施形態では、図７中に示すように、クラッチ状態移行期間内で、転舵角推定部５８が推定する転舵角の情報を、締結前推定転舵角（仮の転舵角）から、直進判定後推定転舵角（正しい転舵角）まで、連続的に変化させる。ここで、クラッチ状態移行期間とは、車両の走行モードを「Ｔｍｐ‐ＥＰＳ」から、「２Ｍ‐ＳＢＷ」または「１Ｍ‐ＳＢＷ」へ切り替えるまでの間である。なお、図７は、総合コントローラ２２が行なう処理のうち、ステップＳ１２６からステップＳ１３２までの間に行なう処理と、ステップＳ１３２からステップＳ１１０へ移行した処理を示すタイムチャートである。
【００７５】
ステップＳ１３２において、転舵角記憶部４８に記憶している操舵角に対する転舵モータ回転角を更新し、連続変化転舵角を含む情報信号を運転支援機能制御部６４へ送信すると、総合コントローラ２２が行なう処理は、ステップＳ１１０へ移行する。
ここで、本実施形態では、総合コントローラ２２が行なう処理がステップＳ１３２からステップＳ１１０へ移行する場合、ステップＳ１１０において、車両の走行モードを「２Ｍ‐ＳＢＷ」または「１Ｍ‐ＳＢＷ」に設定する。その後、クラッチ８を開放状態に切り替えた時点で、推定した正しい転舵角を含む情報信号を、運転支援機能制御部６４へ送信する。
【００７６】
したがって、総合コントローラ２２が行なう処理がステップＳ１３２からステップＳ１１０へ移行する場合、ステップＳ１２４で推定した直進判定後推定転舵角（正しい転舵角）に基づいて、ＳＢＷ制御を行なうことが可能となる。
また、本実施形態では、総合コントローラ２２が行なう処理がステップＳ１３２からステップＳ１１０へ移行する場合、クラッチ状態移行期間内において、連続的に変化する連続変化転舵角を用いて、運転支援機能を制御する。
したがって、クラッチ状態移行期間内において、車両の操舵状態、制動力、駆動力等に対する制御の急激な変化を抑制することが可能となり、円滑な運転支援機能の制御を行なうことが可能となる。
【００７７】
（動作）
次に、図１から図７を参照しつつ、図８を用いて、本実施形態の車両用操舵制御装置１を用いて行なう動作の一例を説明する。なお、図８は、本実施形態の車両用操舵制御装置１を用いた車両の動作を示すタイムチャートである。
図８中に示すタイムチャートは、車両の走行中等、イグニッションスイッチがオン状態であり、トルク伝達経路を機械的に分離させて、車両の走行モードを「２Ｍ‐ＳＢＷ」に設定している状態（図中に示す「ＳＢＷ制御中」）からスタートする。なお、車両の走行モードを「２Ｍ‐ＳＢＷ」または「１Ｍ‐ＳＢＷ」に設定している状態では、例えば、高速走行時には低速走行時よりも操舵角に対する転舵角の変化度合いを減少させる制御（可変ギヤ制御）等、車速に応じた転舵角の制御を行なう。また、車速に応じた転舵角の制御は、転舵角記憶部４８に記憶した操舵角と転舵モータ回転角との関係と、操舵角検出部１０が検出した現在操舵角と、車速検出部１２が検出した車速を用いて行なう。
【００７８】
そして、例えば、車両の駐車後等、運転者がイグニッションスイッチをオフ状態（図中に示す「ＩＧＮ  ＯＦＦ」）に切り替えた時点ｔ１から、ＳＢＷ制御の終了時における処理（図中に示す「終了時の処理」）を行う。
ここで、ＳＢＷ制御の終了時における処理は、クラッチ８を開放状態から締結状態へ切り替える処理（図中に示す「クラッチ締結」）と、時点ｔ１における転舵輪２４の転舵角を推定する処理（図中に示す「転舵角推定」）である。ＳＢＷ制御の終了時における処理は、推定した時点ｔ１における転舵輪２４の転舵角を転舵角記憶部４８に書き込んで記憶する処理（図中に示す「転舵角書き込み」）である。なお、図中では、ＳＢＷ制御の終了時における処理を終了した時点を、時点ｔ２と示す。
【００７９】
時点ｔ２の後、例えば、車両の発進等、運転者がイグニッションスイッチをオン状態（図中に示す「ＩＧＮ  ＯＮ」）に切り替えると、この時点ｔ３から、ＳＢＷ制御の起動時における処理（図中に示す「起動時の処理」）を行う。
ここで、ＳＢＷ制御の起動時における処理は、クラッチ８を締結状態から開放状態へ切り替える処理（図中に示す「クラッチ開放」）である。これに加え、ＳＢＷ制御の起動時における処理は、ＳＢＷ制御の終了時における処理で転舵角記憶部４８に書き込んで記憶した転舵輪２４の転舵角を読み出す処理（図中に示す「転舵角読み出し」）である。
そして、ＳＢＷ制御の起動時における処理を終了した時点ｔ４から、車両の走行モードを「２Ｍ‐ＳＢＷ」に設定して、ＳＢＷ制御を開始する（図中に示す「ＳＢＷ制御中」）。
【００８０】
ここで、車両の走行モードを「２Ｍ‐ＳＢＷ」に設定している状態において、バッテリ４６の電圧が電圧閾値未満となった後に電圧閾値以上となると、ＳＢＷ制御を起動させるか否かを判定する処理（図中に示す「ＳＢＷ制御起動判定」）を行う。なお、図中では、バッテリ４６の電圧が電圧閾値未満となった時点（図中に示す「電圧低下」）を、時点ｔ５と示す。また、図中では、電圧閾値未満となったバッテリ４６の電圧が電圧閾値以上となった時点（図中に示す「電圧復元」）であり、ＳＢＷ制御を起動させるか否かを判定する処理を開始する時点を、時点ｔ６と示す。
【００８１】
ＳＢＷ制御を起動させるか否かを判定する処理では、上述したステップＳ１０２の処理、すなわち、転舵角記憶部４８が記憶している回転角度を読み出す処理が、正常に行なわれたか否かを判定する処理を行う。
ここで、以降の説明は、転舵角記憶部４８が記憶している回転角度を読み出す処理が、正常に行なわれていないと判定した場合について説明する。すなわち、以降の説明は、上述したステップＳ１０２からステップＳ１０６へ移行する場合について説明する。
【００８２】
転舵角記憶部４８が記憶している回転角度を読み出す処理が、正常に行なわれていないと判定した後、上述したステップＳ１１４の処理、すなわち、転舵角推定部５８が転舵輪２４の転舵角を推定する処理が正常に行なわれたか否かを判定する処理を行う。
ここで、以降の説明は、転舵角推定部５８が転舵輪２４の転舵角を推定する処理が正常に行なわれたと判定した場合について説明する。すなわち、以降の説明は、上述したステップＳ１１４からステップＳ１１６へ移行する場合について説明する。
【００８３】
転舵角記憶部４８が記憶している回転角度を読み出す処理が正常に行なわれず、転舵角推定部５８が転舵輪２４の転舵角を推定する処理が正常に行なわれた時点ｔ７から、車両の走行モードを「Ｔｍｐ‐ＥＰＳ」に設定する。これにより、時点ｔ７から、Ｔｍｐ‐ＥＰＳ制御を開始する（図中に示す「Ｔｍｐ‐ＥＰＳ制御中」）。
Ｔｍｐ‐ＥＰＳ制御を開始し、車両が直進していると判定した状態が継続している時間が直進判断時間閾値以上であると、直進判定後推定転舵角（正しい転舵角）を推定する（ステップＳ１１８〜Ｓ１２４参照）。そして、非操舵状態で車両が停止している状態が継続している時間が非操舵停止判断時間閾値以上であると、推定した直進判定後推定転舵角を用いて、転舵角記憶部４８に記憶している操舵角に対する転舵モータ回転角を更新する（ステップＳ１２６〜Ｓ１３２参照）。
【００８４】
これに加え、時点ｔ７では、運転支援機能制御部６４へ送信する情報信号を、クラッチ状態移行期間内で、締結前推定転舵角から直進判定後推定転舵角まで連続的に変化する情報信号とする処理を開始する（ステップＳ１３２参照）。
推定した直進判定後推定転舵角を用いて、転舵角記憶部４８に記憶している操舵角に対する転舵モータ回転角を更新すると、この時点ｔ８において、車両の走行モードを「２Ｍ‐ＳＢＷ」に設定する。そして、クラッチ８を締結状態から開放状態へ切り替える処理を行い、推定した直進判定後推定転舵角を用いて更新した、転舵角記憶部４８に記憶している操舵角に対する転舵モータ回転角を用いて、ＳＢＷ制御を開始する（図中に示す「ＳＢＷ制御中」）。具体的には、第一転舵モータ制御部５０及び第二転舵モータ制御部５２により、直進判定後推定転舵角を用いて更新した、転舵角記憶部４８に記憶している操舵角に対する転舵モータ回転角を用いて、上述した目標転舵角を算出する。
【００８５】
すなわち、クラッチ８が開放状態に切り替わると、第一転舵モータ制御部５０及び第二転舵モータ制御部５２が、車両の走行状態が直進であると判定した後に転舵角推定部５８が推定した転舵角である直進判定後推定転舵角を用いて、目標転舵角を算出する。
さらに、時点ｔ８では、時点ｔ７で締結前推定転舵角から直進判定後推定転舵角までの連続的な変化を開始した、運転支援機能制御部６４へ送信する情報信号が、直進判定後推定転舵角を含む情報信号となる（ステップＳ１３２参照）。
【００８６】
すなわち、転舵角推定部５８は、電圧閾値未満の電圧が電圧閾値以上となると、締結前推定転舵角と、直進判定後推定転舵角を推定する。
また、運転支援機能制御部６４は、クラッチ８を開放状態から締結状態に切り替えると、締結前推定転舵角を用いて運転支援機能を制御する。また、クラッチ８を締結状態から開放状態に切り替えると、クラッチ状態移行期間内では、連続変化転舵角を用いて運転支援機能を制御する。
【００８７】
以上により、本実施形態の車両用操舵制御装置１では、締結状態のクラッチ８を開放状態へ切り替える処理を開始した時点から、ＳＢＷ制御を開始した時点ｔ８まで、連続変化転舵角を含む情報信号を運転支援機能制御部６４へ送信する。すなわち、時点ｔ７から時点ｔ８までの間で、運転支援機能制御部６４へ送信する情報信号が含む転舵角を、締結前推定転舵角から直進判定後推定転舵角まで連続的に変化させることとなる（図７参照）。
【００８８】
このため、締結状態のクラッチ８を開放状態へ切り替える処理を開始した時点から、締結状態のクラッチ８を開放状態へ切り替えた時点まで、連続的に変化する連続変化転舵角を用いて、運転支援機能の制御を行なうことが可能となる。
したがって、転舵角記憶部４８に記憶している転舵角を読み出せない場合であっても、締結状態のクラッチ８を開放状態に切り替えた時点から、推定精度が高い状態で推定した転舵角を用いて、ＳＢＷ制御や運転支援機能の制御を行なうことが可能となる。
【００８９】
これに加え、クラッチ状態移行期間内において、車両の操舵状態、制動力、駆動力等に対する制御の急激な変化を抑制することが可能となり、円滑な運転支援機能の制御を行なうことが可能となる。
なお、上述した総合コントローラ２２のうち、第一転舵モータ制御部５０及び第二転舵モータ制御部５２は、目標転舵角算出部に対応する。
【００９０】
また、上述した総合コントローラ２２と、総合コントローラ２２が行なう処理、具体的には、総合コントローラ２２が行なう処理のうち、ステップＳ１１８からステップＳ１２２の処理は、直進走行判定部に対応する。
また、上述した総合コントローラ２２と、総合コントローラ２２が行なう処理、具体的には、総合コントローラ２２が行なう処理のうち、ステップＳ１２６からステップＳ１３０の処理は、非操舵停車状態判定部に対応する。
【００９１】
また、上述した第一転舵モータトルクセンサ２０は、操舵トルク検出部に対応する。
なお、上述したように、本実施形態の車両用操舵制御装置１の動作で実施する車両用操舵制御方法では、イグニッションスイッチがオン状態であるとともにバッテリ４６の電圧が電圧閾値未満となると、クラッチ８を開放状態から締結状態に切り替える。これに加え、締結前推定転舵角を用いて運転支援機能を制御する。
また、クラッチ状態移行期間内では、連続変化転舵角を用いて運転支援機能を制御する。これに加え、締結状態のクラッチ８を開放状態に切り替えると、車両の走行状態が直進であると判定した時に推定した転舵角である直進判定後推定転舵角を用いて、運転支援機能を制御する。
【００９２】
（第一実施形態の効果）
本実施形態では、以下に記載する効果を奏することが可能となる。
（１）運転支援機能制御部６４が、クラッチ８を開放状態から締結状態に切り替えると、締結前推定転舵角を用いて運転支援機能を制御する。また、クラッチ８を締結状態から開放状態に切り替えると、クラッチ状態移行期間内では、連続変化転舵角を用いて運転支援機能を制御する。
このため、クラッチ８を締結状態から開放状態に切り替えると、クラッチ状態移行期間内では、連続変化転舵角を用いて運転支援機能を制御することが可能となる。
【００９３】
その結果、転舵角記憶部４８に記憶している記憶している転舵角を読み出せない場合であっても、クラッチ８を締結状態から開放状態に切り替えた時点から、推定精度が高い状態で推定した転舵角を用いて、運転支援機能を制御することが可能となる。これに加え、クラッチ状態移行期間内において、車両の操舵状態、制動力、駆動力等に対する制御の急激な変化を抑制することが可能となり、円滑な運転支援機能の制御を行なうことが可能となる。
【００９４】
（２）締結状態のクラッチ８を、電圧閾値未満の電圧が電圧閾値以上となるとともに車両の走行状態が直進であると判定し、さらに、非操舵状態及び車両が停車しているとの判定が成立していると、開放状態に切り替える。また、第一転舵モータ制御部５０及び第二転舵モータ制御部５２が、締結状態のクラッチ８が開放状態に切り替わると、直進判定後推定転舵角を用いて、目標転舵角を算出する。
【００９５】
このため、締結状態のクラッチ８を開放状態に切り替えると、車両の走行状態が直進であると判定した後に推定した転舵角を用いて、ＳＢＷ制御を行なうことが可能となる。
その結果、転舵角記憶部４８に記憶している記憶している転舵角を読み出せない場合であっても、締結状態のクラッチ８を開放状態に切り替えた時点から、推定精度が高い状態で推定した転舵角を用いて、ＳＢＷ制御を行なうことが可能となる。
【００９６】
（３）車両の速度が車速閾値以上であり、車両のヨーレートの絶対値がヨーレート閾値以下であり、操舵角速度の絶対値が直進判定用操舵角速度閾値以下であると、車両の走行状態が直進であると判定する。
このため、ＳＢＷ制御と運転支援機能の制御を行なうために用いる正しい転舵角を推定するタイミングの判定を、車両の速度及びヨーレートと、ステアリングホイール３８の操舵状態に応じて行なうことが可能となる。
その結果、車両の速度及びヨーレートと、ステアリングホイール３８の操舵状態に応じたタイミングで推定した転舵角であり、推定精度が高い状態で推定した転舵角を用いて、ＳＢＷ制御や運転支援機能の制御を行なうことが可能となる。
【００９７】
（４）車両の速度が車速閾値以上であり、車両のヨーレートの絶対値がヨーレート閾値以下であり、操舵角速度の絶対値が直進判定用操舵角速度閾値以下である状態が、直進判断時間閾値まで継続すると、車両の走行状態が直進であると判定する。
このため、車両の走行状態が直進であると判定した状態が安定して継続した場合に、ＳＢＷ制御と運転支援機能の制御を行なうために用いる正しい転舵角を推定することが可能となる。
【００９８】
その結果、車両の走行状態が直進であると判定した状態が安定して継続している状態で推定した転舵角であり、推定精度が高い状態で推定した転舵角を用いて、ＳＢＷ制御や運転支援機能の制御を行なうことが可能となる。これにより、車両の走行状態が直進であると判定した時点で推定した転舵角を用いる場合と比較して、締結状態のクラッチ８を開放状態へ切り替える場合と比較して、ＳＢＷ制御や運転支援機能の制御を、高精度で行なうことが可能となる。
【００９９】
（５）車両の速度が０［ｋｍ／ｈ］であると、車両が非操舵状態であると判定し、操舵角速度の絶対値が非操舵判定用操舵角速度閾値以下であり、操舵トルクの絶対値が非操舵判定用トルク閾値以下であると、車両が停車していると判定する。
このため、締結状態のクラッチ８を開放状態に切り替えて、車両の走行モードを「Ｔｍｐ‐ＥＰＳ」から「２Ｍ‐ＳＢＷ」へ切り替える判定を、車両の速度と、ステアリングホイール３８の操舵状態に応じて行なうことが可能となる。
その結果、車両の速度とステアリングホイール３８の操舵状態に応じたタイミングで、締結状態のクラッチ８を開放状態へ切り替えることが可能となり、車両の走行時及び操舵操作時に締結状態のクラッチ８が開放状態に切り替わることを防止可能となる。
【０１００】
（６）車両の速度が０［ｋｍ／ｈ］であり、操舵角速度の絶対値が非操舵判定用操舵角速度閾値以下であり、操舵トルクの絶対値が非操舵判定用トルク閾値以下である状態が、非操舵停止判断時間閾値まで継続すると、車両が非操舵状態で停車していると判定する。
このため、車両が非操舵状態で停車していると判定した状態が安定して継続した場合に、締結状態のクラッチ８を開放状態へ切り替える処理を行うことが可能となる。
【０１０１】
その結果、車両が非操舵状態で停車していると判定した状態が安定して継続している状態で、締結状態のクラッチ８を開放状態へ切り替えることが可能となる。これにより、車両が非操舵状態で停車していると判定した時点で締結状態のクラッチ８を開放状態へ切り替える場合と比較して、車両の走行時及び操舵操作時に締結状態のクラッチ８が開放状態に切り替わることを、高精度で防止可能となる。
【０１０２】
（７）本実施形態の車両用操舵制御方法では、イグニッションスイッチがオン状態であるとともにバッテリ４６の電圧が電圧閾値未満となると、クラッチ８を開放状態から締結状態に切り替える。これに加え、締結前推定転舵角を用いて運転支援機能を制御する。そして、クラッチ状態移行期間内では、連続変化転舵角を用いて、運転支援機能を制御する。これに加え、締結状態のクラッチ８を開放状態に切り替えると、直進判定後推定転舵角を用いて、運転支援機能を制御する。
【０１０３】
このため、クラッチ８を締結状態から開放状態に切り替えると、クラッチ状態移行期間内では、連続変化転舵角を用いて運転支援機能を制御することが可能となる。
その結果、転舵角記憶部４８に記憶している記憶している転舵角を読み出せない場合であっても、クラッチ８を締結状態から開放状態に切り替えた時点から、推定精度が高い状態で推定した転舵角を用いて、運転支援機能を制御することが可能となる。これに加え、クラッチ状態移行期間内において、車両の操舵状態、制動力、駆動力等に対する制御の急激な変化を抑制することが可能となり、円滑な運転支援機能の制御を行なうことが可能となる。
【０１０４】
（変形例）
（１）本実施形態では、締結状態のクラッチ８を、電圧閾値未満の電圧が電圧閾値以上となるとともに車両の走行状態が直進であると判定し、非操舵状態及び車両が停車しているとの判定が成立していると、開放状態に切り替えたが、これに限定するものではない。すなわち、締結状態のクラッチ８を、非操舵状態であるとの判定及び車両が停車しているとの判定のうち少なくとも一方が成立していると、開放状態に切り替えてもよい。
【０１０５】
（２）本実施形態では、車両の走行モードを「Ｔｍｐ‐ＥＰＳ」に設定した状態で、車両の走行状態が直進であるか否かの判定と、車両が非操舵状態で停車しているか否かの判定を行なったが、これに限定するものではない。すなわち、車両の走行モードを「１Ｍ‐ＥＰＳ」や「ＭＳ」に設定した状態で、車両の走行状態が直進であるか否かの判定と、車両が非操舵状態で停車しているか否かの判定を行なってもよい。同様に、車両の走行モードを「１Ｍ‐ＥＰＳ」や「ＭＳ」に設定した状態で、車両の走行状態が直進であると判定した後に推定した転舵角を用いて、ＳＢＷ制御と、運転支援機能の制御を行なってもよい。
【０１０６】
（３）本実施形態では、車両の構成を、二つの転舵アクチュエータ（第一転舵モータ２、第二転舵モータ４）を備えた構成としたが、車両の構成は、これに限定するものではない。すなわち、車両の構成を、転舵アクチュエータを一つのみ備えた構成としてもよい。
【０１０７】
（４）本実施形態では、ステアリングホイール３８の操舵角と、転舵輪２４の転舵角と、車速との関係を示す転舵角推定マップを用いて、転舵輪２４の転舵角を推定したが、これに限定するものではない。すなわち、例えば、ステアリングホイール３８の操舵角と、転舵輪２４の転舵角と、車速との関係を示す数式を用いて、転舵輪２４の転舵角を推定してもよい。
【符号の説明】
【０１０８】
１    車両用操舵制御装置
２    第一転舵モータ
４    第二転舵モータ
６    反力モータ
８    クラッチ
１０  操舵角検出部
１２  車速検出部
１４  ヨーレート検出部
１６  第一転舵モータ角度センサ
１８  第二転舵モータ角度センサ
２０  第一転舵モータトルクセンサ
２２  総合コントローラ
２４  転舵輪（２４ＦＬ、２４ＦＲ）
２６  第一転舵モータ出力軸
２８  ステアリングラック
３０  ラック軸
３２  第二転舵モータ出力軸
３４  タイロッド
３６  ナックルアーム
３８  ステアリングホイール
４０  ステアリングシャフト
４２  ピニオン軸
４４  通信ライン
４６  バッテリ
４８  転舵角記憶部
５０  第一転舵モータ制御部
５２  第二転舵モータ制御部
５４  反力モータ制御部
５６  転舵角推定用マップ記憶部
５８  転舵角推定部
６０  走行モード設定部
６２  クラッチ状態切り替え部
６４  運転支援機能制御部
【図１】
2014223862.tif 000003
【図２】
2014223862.tif 000004
【図３】
2014223862.tif 000005
【図４】
2014223862.tif 000006
【図５】
2014223862.tif 000007
【図６】
2014223862.tif 000008
【図７】
2014223862.tif 000009
【図８】
2014223862.tif 000010